(57)【要約】      （修正有）【課題】選択された長さの空気クッションの連結体を手作業で分離する、荷造り人の片手で実施できる技術を提供するする。【解決手段】包装クッション２４の連結体２２を製作するための装置は、相互に連結された包装クッションの連結体を製作する包装クッション製作機械１０と、包装クッションの連結体を包装クッション製作機械から受け取るように適合される包装クッション取扱機２０とを備え、取扱機は分離板５０を備え、分離板は、包装クッションの連結体を支持するように構成され、分離板は、開口５２を含み、分離板および開口は、隣接する包装クッション同士を連結する目打２６の線に向かって、荷造り人がすべて片手で、目打の線に触れ、目打の線を中央の場所から目打の線の各々の端に向かって外向きに切り離し、下流の包装クッションを掴み、それを上流のクッションから分離することができるように構成される。【選択図】図１
2018090322.tif 000002
【特許請求の範囲】
【請求項１】
相互に連結された包装クッションの連結体を製作するための装置であって、
相互に連結された包装クッションの連結体を製作する包装クッション製作機械と、
相互に連結された包装クッションの前記連結体を前記包装クッション製作機械から受け取るように適合される包装クッション取扱機であって、分離板を備える包装クッション取扱機と
を備え、
前記分離板は、前記分離板に対して概して垂直に前記分離板に向かう方向で相互に連結された包装クッションの前記連結体に加えられる力に抗して、相互に連結された包装クッションの前記連結体を支持するように構成され、前記分離板は、前記分離板の下流の末端縁へと延びる開口を含み、
前記分離板および前記開口は、相互に連結された包装クッションの前記連結体における隣接する包装クッション同士を連結する目打の線に向かって片手の1つまたは複数の指を延ばすことで、荷造り人が、すべて片手で、目打の前記線に触れ、目打の前記線を、目打の前記線の概して中央の場所から目打の前記線の各々の端に向かって外向きに切り離し、下流の包装クッションを掴み、それを上流のクッションから分離することができるように構成される、装置。
【請求項２】
前記包装クッションは空気クッションである、請求項1に記載の装置。
【請求項３】
前記分離板における前記開口は、前記開口の上流端における前記開口の幅より狭い幅を前記分離板の前記下流の末端縁において有する概して馬蹄形とされる、請求項1に記載の装置。
【請求項４】
相互に連結された包装クッションの連結体を分離する方法であって、
相互に連結された包装クッションの前記連結体を提供するステップと、
分離板に対して概して垂直に前記分離板に向かう方向で相互に連結された包装クッションの前記連結体に加えられる力に抗して、相互に連結された包装クッションの前記連結体を支持するように構成される分離板であって、前記分離板の下流の末端縁へと延びる開口を含む分離板を提供するステップと、
相互に連結された包装クッションの前記連結体における隣接する包装クッション同士を連結する目打の線に向かって1つまたは複数の指を延ばし、目打の前記線に触れ、目打の前記線を、目打の前記線の概して中央の場所から目打の前記線の各々の端に向かって外向きに切り離し、下流の包装クッションを掴み、それを上流のクッションから分離するステップと
を含む方法。
【請求項５】
前記包装クッションは空気クッションである、請求項4に記載の方法。
【請求項６】
前記分離板における前記開口は、前記開口の上流端における前記開口の幅より狭い幅を前記分離板の前記下流の末端縁において有する概して馬蹄形とされる、請求項4に記載の方法。
【請求項７】
相互に連結された包装クッションの連結体を取り扱うように適合される包装クッション取扱機であって、
側板の対と、
前記側板によって回転可能に支持される回転部材と、
前記側板によって支持されるフードと、
前記側板によって決まる分離板と
を備え、
前記回転部材は、相互に連結された包装クッションの前記連結体を、前記フードへと上向きに、および、前記分離板の前で下向きに引っ張るように適合され、
前記分離板は、前記分離板に対して概して垂直に前記分離板に向かう方向で相互に連結された包装クッションの前記連結体に加えられる力に抗して、相互に連結された包装クッションの前記連結体を支持するように構成され、前記分離板は、前記分離板の下流の末端縁へと延びる開口を含み、
前記分離板および前記開口は、相互に連結された包装クッションの前記連結体における隣接する包装クッション同士を連結する目打の線に向かって片手の1つまたは複数の指を延ばすことで、荷造り人が、すべて片手で、目打の前記線に触れ、目打の前記線を、目打の前記線の概して中央の場所から目打の前記線の各々の端に向かって外向きに切り離し、下流の包装クッションを掴み、それを上流のクッションから分離することができるように構成される、包装クッション取扱機。
【請求項８】
前記包装クッションは空気クッションである、請求項7に記載の取扱機。
【請求項９】
前記分離板における前記開口は、前記開口の上流端における前記開口の幅より狭い幅を前記分離板の前記下流の末端縁において有する概して馬蹄形とされる、請求項7に記載の取扱機。
【請求項１０】
前記分離板は、概して水平に配向され、前記側板のそれぞれ1つに各々が取り付けられる両方の横側において上方に向けられたフランジを有する概して平面状の第1の平面状部分と、前記第1の平面状部分の後方の縁に沿っての下内方に向けられたリップと、概して鉛直に配向され、前記第1の平面状部分の前方の縁から下方に延びる第2の概して平面状の部分と、前記第2の概して平面状の部分の下方の縁から下前方に延びる弓形部分と、前記弓形部分の下方の縁から下前方に延びる第3の概して平面状の分離部分とを備え、前記分離部分は前記開口を含み、前記開口は、前記開口の上流端における前記開口の幅より狭い幅を前記分離板の前記下流の末端縁において有する概して馬蹄形とされる、請求項7に記載の取扱機。
【請求項１１】
相互に連結された空気ピローの連結体を分離する方法であって、
相互に連結された空気ピローの前記連結体の横縁の近くに少なくともある目打によって隣接するもの同士が分離される相互に連結された空気ピローの前記連結体を提供するステップと、
分離板に対して概して垂直に前記分離板に向かう方向で相互に連結された空気ピローの前記連結体に加えられる力に抗して、相互に連結された空気ピローの前記連結体を支持するように構成される分離板であって、前記分離板の下流の末端縁へと延びる開口を含む分離板を提供するステップと、
相互に連結された空気ピローの前記連結体における隣接する空気ピロー同士の間の領域に向かって片手の1つまたは複数の指を延ばし、下流の空気ピローを掴み、前記目打を横へ外向きに切り離し、前記下流の空気ピローを上流の空気ピローから分離するステップと
を含む方法。
【請求項１２】
使用者の片手で下流の包装クッションを上流の包装クッションから分離するための包装クッション分離装置であって、前記下流の包装クッションおよび前記上流の包装クッションは相互に連結された包装クッションの連結体になっており、相互に連結された包装クッションの前記連結体の隣接するもの同士は、相互に連結された包装クッションの前記連結体の横縁の近くに少なくともある目打によって分離され、前記包装クッション分離装置は、
分離板に対して概して垂直に前記分離板に向かう方向で相互に連結された包装クッションの前記連結体に加えられる力に抗して、相互に連結された包装クッションの前記連結体を支持するように適合される分離板であって、前記分離板の下流の末端縁へと延びる開口を含む分離板を備え、
それによって、使用者は、相互に連結された包装クッションの前記連結体における隣接する包装クッション同士の間の領域に向かって片手の1つまたは複数の指を延ばし、前記下流の包装クッションを掴み、前記目打を横へ外向きに切り離し、前記下流の包装クッションを前記上流の包装クッションから分離することができる、包装クッション分離装置。
【請求項１３】
前記包装クッションは空気ピローである、請求項12に記載の装置。
【請求項１４】
前記分離板における前記開口は、前記開口の上流端における前記開口の幅より狭い幅を前記分離板の前記下流の末端縁において有する概して馬蹄形とされる、請求項12に記載の装置。
【請求項１５】
前記分離板は鉛直と水平との間の角度に配向される、請求項14に記載の装置。
【請求項１６】
前記分離板は、下前方に延びる弓形部分と、前記弓形部分の下方の縁から下前方に延びる概して平面状の分離部分とを備え、前記分離部分は前記開口を含み、前記開口は、前記開口の上流端における前記開口の幅より狭い幅を前記分離板の前記下流の末端縁において有する概して馬蹄形とされる、請求項12に記載の装置。
【請求項１７】
前記開口は、湾曲された内部および外部の角を含む、請求項12に記載の装置。
【発明の詳細な説明】
【技術分野】
【０００１】
関連出願
本出願は、2016年11月4日に出願された米国仮特許出願第62/417,794号の優先権を主張し、この特許出願は、本明細書において参照により、その全体において完全に明記されているかのように、本明細書によって組み込まれている。
【０００２】
本発明は、概して、保護包装製品に関し、より詳細には、例えば空気の充填されたプラスチック製のピローといった相互に連結された包装クッションの連結体を、所望の長さのクッションへと製作および分離する、または、単に分離するための装置、ならびに、その方法に関する。
【背景技術】
【０００３】
品物をある場所から別の場所へと出荷する過程において、保護包装材料が、出荷過程の間に、空所を埋めるために、および/または、品物への衝撃を和らげるために、出荷段ボール箱または箱に典型的には置かれる。1つのこのような保護包装材料は、空気の充填されたクッション/ピローである。空気の充填されたピローは、様々な市販の空気ピロー製作機械によって製作され得る。
【０００４】
選択された長さの空気クッションを切り離す1つの方法は、譲受人の米国特許第7,571,589号に示されて記載されており、この特許は、本明細書において参照により、その全体において完全に明記されているかのように、本明細書によって組み込まれている。その特許では、包装クッション製作機械は相互に連結された包装クッションの連結体を製作する。相互に連結された包装クッションの連結体は、第1の速度で機械の出口端から出て行く。分離装置が、機械の出口端に関連付けられている。分離装置は、相互に連結された包装クッションの連結体を選択的に係合するように、および、連結体を第1の速度より大きい第2の速度で駆動するように、適合されている。そのようにすることで、相互に連結された包装クッションの連結体を分離させる。分離装置は、相互に連結された包装クッションの連結体の一方の側に接触するように適合される第1の移動面と、相互に連結された包装クッションの連結体の他方の側に接触するか接触しないように選択的に配置されるように適合される第2の移動面とを備える。第1の移動面および第2の移動面はベルトであり得る。
【０００５】
選択された長さの空気クッションを切り離す別の方法は、選択された長さを単純に手作業で切り離すことであり、隣接する空気ピロー同士を分離する目打によって支援される。しかしながら、このような手作業の切り離し過程は、典型的には、一方の手で下流の空気クッションを掴み、他方の手で上流の空気クッションを掴むように、荷造り人の両手の使用を必要とする。次に、荷造り人は自身の両手を引き離して、目打の線に沿って隣接する空気クッション同士を切り離す。
【先行技術文献】
【特許文献】
【０００６】
【特許文献１】米国特許第7,571,589号
【特許文献２】米国特許出願第14/637,776号
【発明の概要】
【発明が解決しようとする課題】
【０００７】
選択された長さの空気クッションの連結体を、残りの空気クッションの連結体から手作業で分離し、それによって自動化された分離装置の費用および複雑性を回避するための、しかし、荷造り人の片手で実施できる技術を考案することが望ましい。
【課題を解決するための手段】
【０００８】
一態様では、相互に連結された包装クッションの連結体を製作するための装置は、相互に連結された包装クッションの連結体を製作する包装クッション製作機械と、相互に連結された包装クッションの連結体を包装クッション製作機械から受け取るように適合される包装クッション取扱機とを備える。取扱機は分離板を備える。分離板は、分離板に対して概して垂直に分離板に向かう方向で相互に連結された包装クッションの連結体に加えられる力に抗して、相互に連結された包装クッションの連結体を支持するように構成される。分離板は、分離板の下流の末端縁へと延びる開口を含む。分離板および開口は、相互に連結された包装クッションの連結体における隣接する包装クッション同士を連結する目打の線に向かって片手の1つまたは複数の指を延ばすことで、荷造り人が、すべて片手で、目打の線に触れ、目打の線を、目打の線の概して中央の場所から目打の線の各々の端に向かって外向きに切り離し、下流の包装クッションを掴み、それを上流のクッションから分離することができるように構成される。
【０００９】
包装クッションは空気クッションであり得る。分離板における開口は、開口の上流端における開口の幅より狭い幅を板の下流の末端縁において有する概して馬蹄形とされ得る。
【００１０】
別の態様では、相互に連結された包装クッションの連結体を分離する方法は、相互に連結された包装クッションの連結体を提供するステップと、分離板に対して概して垂直に分離板に向かう方向で相互に連結された包装クッションの連結体に加えられる力に抗して、相互に連結された包装クッションの連結体を支持するように構成される分離板であって、分離板の下流の末端縁へと延びる開口を含む分離板を提供するステップと、相互に連結された包装クッションの連結体における隣接する包装クッション同士を連結する目打の線に向かって1つまたは複数の指を延ばし、目打の線に触れ、目打の線を、目打の線の概して中央の場所から目打の線の各々の端に向かって外向きに切り離し、下流の包装クッションを掴み、それを上流のクッションから分離するステップと、を含む。
【００１１】
別の態様では、相互に連結された包装クッションの連結体を取り扱うように適合される包装クッション取扱機は、側板の対と、側板によって回転可能に支持される回転部材と、側板によって支持されるフードと、側板によって決まる分離板とを備える。回転部材は、相互に連結された包装クッションの連結体を、フードへと上向きに、および、分離板の前で下向きに引っ張るように適合される。分離板は、分離板に対して概して垂直に分離板に向かう方向で相互に連結された包装クッションの連結体に加えられる力に抗して、相互に連結された包装クッションの連結体を支持するように構成される。分離板は、分離板の下流の末端縁へと延びる開口を含む。分離板および開口は、相互に連結された包装クッションの連結体における隣接する包装クッション同士を連結する目打の線に向かって片手の1つまたは複数の指を延ばすことで、荷造り人が、すべて片手で、目打の線に触れ、目打の線を、目打の線の概して中央の場所から目打の線の各々の端に向かって外向きに切り離し、下流の包装クッションを掴み、それを上流のクッションから分離することができるように構成される。
【００１２】
分離板は、概して水平に配向され、側板のそれぞれ1つに各々が取り付けられる両方の横側において上方に向けられたフランジを有する第1の概して平面状の部分と、第1の平面状部分の後方の縁に沿っての下内方に向けられたリップと、概して鉛直に配向され、第1の平面状部分の前方の縁から下方に延びる第2の概して平面状の部分と、第2の概して平面状の部分の下方の縁から下前方に延びる弓形部分と、弓形部分の下方の縁から下前方に延びる第3の概して平面状の分離部分とを備えることができ、分離部分は開口を含み、開口は、開口の上流端における開口の幅より狭い幅を板の下流の末端縁において有する概して馬蹄形とされる。
【００１３】
別の態様では、相互に連結された空気ピローの連結体を分離する方法は、相互に連結された空気ピローの連結体の横縁の近くに少なくともある目打によって隣接するもの同士が分離される相互に連結された空気ピローの連結体を提供するステップと、分離板に対して概して垂直に分離板に向かう方向で相互に連結された空気ピローの連結体に加えられる力に抗して、相互に連結された空気ピローの連結体を支持するように構成される分離板であって、分離板の下流の末端縁へと延びる開口を含む分離板を提供するステップと、相互に連結された空気ピローの連結体における隣接する空気ピロー同士の間の領域に向かって片手の1つまたは複数の指を延ばし、下流の空気ピローを掴み、目打を横へ外向きに切り離し、下流の空気ピローを上流の空気ピローから分離するステップと、を含む。
【００１４】
別の態様では、使用者の片手で下流の包装クッションを上流の包装クッションから分離するための包装クッション分離装置であって、下流の包装クッションおよび上流の包装クッションは相互に連結された包装クッションの連結体になっており、相互に連結された包装クッションの連結体の隣接するもの同士は、相互に連結された包装クッションの連結体の横縁の近くに少なくともある目打によって分離され、分離装置は、分離板に対して概して垂直に分離板に向かう方向で相互に連結された包装クッションの連結体に加えられる力に抗して、相互に連結された包装クッションの連結体を支持するように適合される分離板であって、分離板の下流の末端縁へと延びる開口を含む分離板を備え、それによって、使用者は、相互に連結された包装クッションの連結体における隣接する包装クッション同士の間の領域に向かって片手の1つまたは複数の指を延ばし、下流の包装クッションを掴み、目打を横へ外向きに切り離し、下流の包装クッションを上流の包装クッションから分離することができる。
【００１５】
包装クッションは空気ピローであり得る。分離板における開口は、開口の上流端における開口の幅より狭い幅を板の下流の末端縁において有する概して馬蹄形とされ得る。板は鉛直と水平との間の角度に配向され得る。分離板は、下前方に延びる弓形部分と、弓形部分の下方の縁から下前方に延びる概して平面状の分離部分とを備えてもよく、分離部分は開口を含み、開口は、開口の上流端における開口の幅より狭い幅を前記板の下流の末端縁において有する概して馬蹄形とされる。開口は、湾曲された内部および外部の角を含み得る。
【００１６】
本明細書に組み込まれており、本明細書の一部を構成する添付の図面は、本発明の実施形態を示しており、前述の本発明の概要と共に、以下に与えられている図面の詳細な記載は、本発明の原理を説明する役目を果たす。
【図面の簡単な説明】
【００１７】
【図１】本発明の空気ピロー取扱機および分離板の斜視図である。
【図２】図1の装置で相互に連結された包装クッションの連結体を分離する連続のステップを示す図である。
【図３】図1の装置で相互に連結された包装クッションの連結体を分離する連続のステップを示す図である。
【図４】図1の装置で相互に連結された包装クッションの連結体を分離する連続のステップを示す図である。
【図５】図1の線5-5に沿って切り取られた断面図である。
【図５Ａ】図5と同様であるが、分離板の代替の実施形態の図である。
【図６】図5Aの分離板の斜視図である。
【図７】図5Aの分離板の正面図である。
【図８】図5Aの分離板の側面図である。
【図９】点線で示された特定の部分が状況を示している分離板の斜視図である。
【図１０】図9の分離板の正面図である。
【図１１】図9の分離板の背面図である。
【図１２】他方の側面図は鏡像になっている、図9の分離板の側面図である。
【図１３】図9の分離板の上面図である。
【図１４】図9の分離板の下面図である。
【図１５】実線で示した分離板の部分に垂直である、図9の分離板の正面図である。
【発明を実施するための形態】
【００１８】
譲受人の2015年3月4日に出願された米国特許出願第14/637,776号が、本明細書において参照により、その全体において完全に明記されているかのように、本明細書によって組み込まれている。
【００１９】
図1および図5Aを先ず参照すると、本発明の原理による空気ピロー製作機械10と空気ピロー取扱機20とが示されている。空気ピロー製作機械10は、プラスチックフィルムのウェブから相互に連結された空気ピロー24の連結体22を形成する既知の種類の機械のものであり、空気ピロー24は、空気ピロー24の連結体22から所望の長さの空気ピロー24の分離を許容する目打26または目打26とスリットとの組み合わせによって分離される。1つのこのような機械は、本明細書において参照により組み込まれている譲受人の2015年3月4日に出願された米国特許出願第14/637,776号に示されており、'776出願は、このような機械10のさらなる詳細について参考にすることができる。
【００２０】
取扱機20は、反対にある側板31と、34において側板31に対して旋回されるフード32とを有する筐体30を備える。フード32は、取扱機20の内部へのアクセスを許容するための開位置と、取扱機20の使用中における閉位置とに旋回させることができる。取扱機20は、両方の端46において側板31に回転可能に支持されているシャフト44に固定された複数のパドル42を備えるモータ駆動されて回転するパドル機構40を備えている。パドル機構40は、パドル42に載せて空気ピロー24の連結体22を上方に進め、次に、筐体30に備え付けられた概して平面状の下前方に延びる分離板50に載って下方に進む。
【００２１】
分離板50は、馬蹄形とされた開口52を含んでいる。馬蹄形とされた開口52は、その下流の端において幅w1を有し、幅w1は、開口52の上流の端における開口52の幅w2より狭い。開口52は、後で記載されている使用中の空気ピローの破裂を回避するために、丸められた、または、湾曲された上方の角54と、丸められた、または、湾曲された下方の角56とを有している。
【００２２】
ここで図2〜図4を参照すると、取扱機20の使用が記載されている。モータ駆動されるパドル機構40は、選択された長さの相互連結された空気ピロー24を取扱機20から分配するように作動される。分離板50は、分離板50に対して概して垂直に分離板50に向かう方向で相互に連結された空気ピロー24の連結体22に加えられる力に抗して、相互に連結された空気ピロー24の連結体22を支持する。使用者は、片手の1つまたは複数の指を、空気ピロー24の隣接するもの同士を相互に連結する目打26の線に触れるように延ばす。使用者の1つまたは複数の指をさらに延ばすことで、目打26の線を、目打26の線の概して中央の場所から目打26の線の各々の端に向かって外向きに切り離せる。使用者は、次に、すべて片手で、下流の空気ピロー24を掴み、それを上流の空気ピロー24に対して下方に引っ張り、下流の空気ピロー24を上流の空気ピロー24から完全に分離することができる。
【００２３】
空気ピロー24の隣接するもの同士の間の連続的な目打26の線が示されているが、本発明は、空気ピロー24同士の間の目打とスリットとの任意の組み合わせで容易に実施できることは留意されたい。例えば、空気ピロー製作機械で使用されるある種類のプラスチックフィルムは、プラスチックフィルムの幅の中央に位置付けられたスリットと、中央のスリットの各々の端の外における目打の線とを利用する。このようなフィルムを用いて製作される空気ピローは、本発明の取扱機20および分離板50でも取り扱える。
【００２４】
ここで図5A〜図8を参照すると、本発明の原理による分離板の別の実施形態60が示されている。この実施形態では、分離板60は、概して水平に配向され、板60を筐体30の側壁31にネジ68で取り付けるためのネジ孔66の対を各々が含む両側において上方に向けられたフランジ64を有する第1の概して平面状の部分62を備える。板は、使用中の空気ピロー24の破裂を回避するために、平面状部分62の後方の縁に沿って下内方に向けられたリップ70を備えている。概して鉛直に配向された第2の概して平面状の部分72は、平面状部分62の前方縁から下方に延びている。弓形または湾曲した部分74が、第2の概して平面状の部分72の下方の縁から下前方に延びている。最後に、第3の概して平面状の分離部分76が、弓形または湾曲した部分74の下方の縁から下前方に延びており、前述の開口52と、丸められた、または、湾曲された上方の角54と、丸められた、または、湾曲された下方の角56と、下流の幅w1と、上流の幅w2とを備えている。
【００２５】
図5A〜図8の実施形態では、鉛直部分72、湾曲部分74、および分離部分76は、空気ピロー24の連結体22をより利便性良く使用者に渡す。また、湾曲部分74は、分離の間の空気ピロー24の連結体22の上流部分における引っ張りを低減し、したがって、空気ピロー24の連結体22がパドル機構40の周囲を通過する領域で目打26が切り離れようとする傾向を低減する。
【００２６】
取扱機20が空気ピロー製作機械10に備え付けられて空気ピロー製作機械10と併せて使用されるとして示されているが、取扱機20は、箱またはホッパなどに保管されたあらかじめ形成された連結体22の相互に連結された空気クッション24と併せて使用される独立したユニットであってもよいことは留意されたい。
【００２７】
取扱機20が空気ピロー24の連結体22と併せて使用されるとして示されているが、紙クッションの相互に連結された連結体と使用されてもよいことも留意されたい。
【００２８】
さらに、取扱機20が、筐体30と、フード32と、モータ駆動されて回転するパドル機構40とを備えるとして示されているが、取扱機は、分離板50または60の前で停止される包装クッションまたは空気ピローの連結体がある限り本発明の技術が作用するため、単に分離板50または60を支持するための支持体であってもよく、連結体が包装クッション/空気ピローの製作機械から直接的に落ちるか、駆動機械を通じてか、または、単に手作業で垂らして掛けられるかは重要ではない。
【００２９】
最後に、図6〜図15は、分離板60の様々な装飾的な特徴を示している。
【００３０】
図示および記載されている本発明の様々な実施形態は、単に例示の目的のためだけであり、図および記載は、請求項の範囲をいかなる形においても制限または限定するようには意図されていない。当業者は、本発明の精神または範囲から逸脱することなく、本発明に行われ得る様々な変化、変形、および改良を認識するものである。そのため、そのより幅広い態様においての本発明は、図示および記載した特定の詳細および代表的な装置および方法に限定されない。そのため、大まかな発明の概念の精神または範囲から逸脱することなく、このような詳細からの逸脱が行われる可能性がある。本発明は、ここで記載した各々の個別の特徴において、単独で、ならびに、それらの特徴の一部および全部のすべての組み合わせで、存在する。したがって、本発明の範囲は、以下の請求項およびそれらの等価だけによって限定されることになる。
【符号の説明】
【００３１】
10  空気ピロー製作機械
20  空気ピロー取扱機
22  連結体
24  空気ピロー
26  目打
30  筐体
31  側板、側壁
32  フード
40  モータ駆動回転パドル機構
42  パドル
44  シャフト
46  端
50  分離板
52  開口
54  上方の角
56  下方の角
60  分離板
62  第1の平面状部分
64  フランジ
66  ネジ孔
68  ネジ
70  リップ
72  第2の平面状部分、鉛直部分
74  弓形または湾曲した部分
76  分離部分
w1  下流の端における幅
w2  上流の端における幅
【図１】
2018090322.tif 000003
【図２】
2018090322.tif 000004
【図３】
2018090322.tif 000005
【図４】
2018090322.tif 000006
【図５】
2018090322.tif 000007
【図５Ａ】
2018090322.tif 000008
【図６】
2018090322.tif 000009
【図７】
2018090322.tif 000010
【図８】
2018090322.tif 000011
【図９】
2018090322.tif 000012
【図１０】
2018090322.tif 000013
【図１１】
2018090322.tif 000014
【図１２】
2018090322.tif 000015
【図１３】
2018090322.tif 000016
【図１４】
2018090322.tif 000017
【図１５】
2018090322.tif 000018
【外国語明細書】
2018090322000001.pdf